(57)【特許請求の範囲】
【請求項１】
かごやカウンターウェイトからなる昇降体の下方に緩衝器が配置されるとともに、保守時に前記昇降体が所定以上に下降しないように阻止する下降阻止装置が前記緩衝器に取り付けられるエレベータ装置において、
前記下降阻止装置は、
前記緩衝器の頂部に載置される取付板と、
手動操作部と螺子部を有し前記取付板に回動自在に設けられた締結具と、
該締結具の螺子部に螺合する螺子部を有し前記締結具の回動とともに前記両螺子部を介して回動するブラケットと、
該ブラケットの所定量以上の回動を阻止するストッパとを有し、
前記緩衝器の頂部に前記下降阻止装置を配置した状態において、
前記締結具は、
一方向に回転すると、前記両螺子部を介して前記ブラケットが前記ストッパに当たるまで回転した後、前記両螺子部を介して前記ブラケットが上昇して前記緩衝器の頂部に下方から接することによって、前記下降阻止装置が前記緩衝器の頂部に固定され、
逆方向に回転すると、前記両螺子部を介して前記ブラケットが前記と逆方向に前記ストッパに当たるまで回転した後、前記両螺子部を介して前記ブラケットが下降して前記緩衝器の頂部から離れることによって、前記下降阻止装置が前記緩衝器の頂部から離脱可能となる構成であることを特徴とするエレベータ装置。
【請求項２】
前記締結具はアイボルトであることを特徴とする請求項１に記載のエレベータ装置。
【発明の詳細な説明】
【技術分野】
【０００１】
本発明は、かごやカウンターウェイトの昇降体の下方に緩衝器が設置されたエレベータ装置に関するものである。
【背景技術】
【０００２】
図４は従来のエレベータ装置を示す概略図である。図において、１はエレベータの昇降路、２はかご、３はカウンターウェイト、４は昇降路１に設けられた最上階の乗場の床、５は同じく最下階の乗場の床、６は昇降路１の上部に設置された吊車、７は吊車６を介してかご２とカウンターウェイト３とを連結した主ロープ、８はかご上に乗った保守員である。
【０００３】
９は昇降路１の底部に設けられてカウンターウェイト３に対向して配置されたカウンターウェイト用緩衝器、１０は同じくかご用緩衝器、１１はカウンターウェイト下降阻止装置で、保守時にカウンターウェイト用緩衝器９の頂部に、複数のボルト１２によって締め付け固定される。１３はかご下降阻止装置で、保守時にかご用緩衝器１０の頂部に、複数のボルト１２によって締め付け固定される。１４は昇降路１の底部にいる保守員である。
図４では、カウンターウェイト用緩衝器９はカウンターウェイト３の荷重を受けて全圧縮している状態を示し、かご用緩衝器１０はかご２の荷重を受けず、かご下降阻止装置１３の荷重しか受けておらず伸びている状態を示している。
【０００４】
カウンターウェイト下降阻止装置１１は、カウンターウェイト３の下降をカウンターウェイト用緩衝器９よりも上方位置、即ち、通常の下降位置よりも上方の所定位置で阻止する。このカウンターウェイト３の下降阻止により、かご２の上昇が通常の上昇位置よりも下方の所定位置で制限される。
【０００５】
保守時に、かご上に乗った保守員８が誤ってかご２を上昇させ続けると、破線で示すように、保守員８が昇降路１の天井に頭をぶつける可能性がある。これを防止するために、かご上に乗って保守をする場合には、まずカウンターウェイト下降阻止装置１１をカウンターウェイト用緩衝器９に取り付け、カウンターウェイト３がカウンターウェイト用緩衝器９より先にカウンターウェイト下降阻止装置１１に当たるようにして、かご２が物理的に所定位置以上に上昇できないようにする。
このときのカウンターウェイト下降阻止装置１１の寸法は、かご上に乗った保守員８が昇降路１の天井で頭を打たないだけの長さに設定してあるので保守員８の安全が確保される。
【０００６】
また、保守員１４が昇降路１の底部にいる場合、かご下降阻止装置１３はかご２の下降をかご用緩衝器１０よりも上方位置、即ち、通常の下降位置よりも上方の所定位置で阻止するので、保守員１４がかご２に衝突することはない。同様に、カウンターウェイト下降阻止装置１１によって、カウンターウェイト３の下降を通常の下降位置よりも上方の所定位置で阻止するので、保守員１４がカウンターウェイト３に衝突することもない。
【０００７】
ところが、前記の装置は、各緩衝器９，１０に各下降阻止装置１１，１３をボルト１２で締め付け固定する構成のため、ボルト取付位置合わせやボルト締め・外しの作業に多くの時間が掛かるという問題がある。
そこで、各緩衝器への各下降阻止装置の取り付けをより簡単化したものが考えられている。
【０００８】
この例を図５，図６により説明する。図５は下降阻止装置を緩衝器に取り付けた説明図で、（ａ）は正面図、（ｂ）は側面図、図６は下降阻止装置の斜視図であり、かご用及びカウンターウェイト用とも同一の構成となる。
図において、１５はかご２又はカウンターウェイト３用の緩衝器、１５ａは鍔状の緩衝器頂部である。１６は下降阻止装置であり、かご２やカウンターウェイト３の下面が当たる下面当たり板１６ａ、嵩上げパイプ１６ｂ、緩衝器１５に取り付ける取付部１６ｃ、挿入穴１６ｄから構成されている。取付部１６ｃは緩衝器頂部１５ａと嵌め合うように断面Ｃ字状に形成されている。１７は位置決め，外れ止め用ボルトである。
【０００９】
下降阻止装置１６を緩衝器１５に取り付ける場合には、取付部１６ｃを緩衝器頂部１５ａに合わせて水平にスライドさせて取り付け、位置決め，外れ止め用ボルト１７を挿入穴１６ｄに装着する。これにより、装着されたボルト１７が緩衝器頂部１５ａの外側に係止し、下降阻止装置１６が緩衝器１５に取り付けられる。
この例では、図４の場合のようにボルト１２を締め付け固定する必要がないため、簡単に下降阻止装置１６を緩衝器１５に取り付けることができる
【先行技術文献】
【特許文献】
【００１０】
【特許文献１】特開２００１−１５１４３２号公報
【発明の概要】
【発明が解決しようとする課題】
【００１１】
前記の装置では、下降阻止装置１６を緩衝器１５の緩衝器頂部１５ａに合わせて水平にスライドさせ、位置決め，外れ止め用ボルト１７を挿入穴１６ｄに装着するだけのため、簡単に取り付けることができるが、図４の場合のようにボルトで締め付けていないため、取り付けが不安定となる。そのため、下降阻止装置１６にかご２やカウンターウェイト３が落下すると、その衝撃で下降阻止装置１６が緩衝器１５からずれたり外れる可能性も考えられる。
【課題を解決するための手段】
【００１２】
本発明は、かごやカウンターウェイトからなる昇降体の下方に緩衝器が配置されるとともに、保守時に前記昇降体が所定以上に下降しないように阻止する下降阻止装置が前記緩衝器に取り付けられるエレベータ装置において、前記下降阻止装置は、前記緩衝器の頂部に載置される取付板と、手動操作部と螺子部を有し前記取付板に回動自在に設けられた締結具と、該締結具の螺子部に螺合する螺子部を有し前記締結具の回動とともに前記両螺子部を介して回動するブラケットと、該ブラケットの所定量以上の回動を阻止するストッパとを有し、前記緩衝器の頂部に前記下降阻止装置を配置した状態において、前記締結具は、一方向に回転すると、前記両螺子部を介して前記ブラケットが前記ストッパに当たるまで回転した後、前記両螺子部を介して前記ブラケットが上昇して前記緩衝器の頂部に下方から接することによって、前記下降阻止装置が前記緩衝器の頂部に固定され、逆方向に回転すると、前記両螺子部を介して前記ブラケットが前記と逆方向に前記ストッパに当たるまで回転した後、前記両螺子部を介して前記ブラケットが下降して前記緩衝器の頂部から離れることによって、前記下降阻止装置が前記緩衝器の頂部から離脱可能となる構成としたものである。
【００１４】
また本発明は、前記締結具をアイボルトとしたものである。
【発明の効果】
【００１５】
本発明によれば、簡単且つ確実に下降阻止装置を緩衝器に取り付けることができる。
【図面の簡単な説明】
【００１６】
【図１】本発明の実施の形態による下降阻止装置を緩衝器に取り付けた説明図である。
【図２】図１のＢ−Ｂ断面に相当する説明図である。
【図３】本発明の実施の形態による下降阻止装置を緩衝器に着脱する手順を示す説明図である。
【図４】従来のエレベータ装置を示す概略図である。
【図５】従来の下降阻止装置を緩衝器に取り付けた説明図である。
【図６】従来の下降阻止装置の斜視図である。
【発明を実施するための形態】
【００１７】
本発明の実施の形態を図１〜図３により説明する。図１は下降阻止装置を緩衝器に取り付けた説明図であり図５に相当する図で、図１（ａ）は一部を断面で表した正面図、図１（ｂ）は図１（ａ）のＡ−Ａ断面図である。図２は図１のＢ−Ｂ断面に相当する説明図、図３は下降阻止装置を緩衝器に着脱する手順を示す説明図である。
【００１８】
図において、２０は緩衝器１５に着脱される下降阻止装置、２１はかご２やカウンターウェイト３の下面が当たる下面当たり板で、嵩上げパイプ２２の上端に固定されている。２３は嵩上げパイプ２２の下方に固定された取付板、２４は取付板２３の４箇所に回動自在に設けたアイボルトからなる締結具、２５はタップ穴（図示省略）を備えこのタップ穴に締結具２４の螺子部が螺合されたブラケットで、図２に示すようにその上片の一部に締結具２４を中心として円弧部２５ａとこの円弧部２５ａの両隣に長辺部２５ｂと短辺部２５ｃが形成されている。２６は各締結具２５の近辺に配置されたストッパで、ブラケット２５の回転を阻止するものである。これらの下面当たり板２１〜ストッパ２６によって下降阻止装置２０を構成している。
【００１９】
本安全装置の着脱手順について説明する。図１は下降阻止装置２０が緩衝器１５に固定された状態を示しており、図３（Ｃ）と同じ状態である。図３（Ａ）は下降阻止装置２０が緩衝器１５に固定される前の状態である。
【００２０】
下降阻止装置２０を緩衝器１５に取り付ける場合は、図３の（Ａ）⇒（Ｂ）⇒（Ｃ）の順になる。まず図３（Ａ）に示すように、緩衝器頂部１５ａに嵩上げパイプ２２を載せる。このときブラケット２５は図２（ｂ）に示すように水平面上で緩衝器頂部１５ａと重ならない状態になっている。
次に図３（Ｂ）に示すように。締結具２４を時計方向に回すと、ブラケット２５も一緒に時計方向に回る。これを下方から見ると図２（ａ）に矢印で示すように、ブラケット２５は締結具２４を中心に反時計方向に９０度回転し、図２（ｂ）の位置から図２（ａ）の位置へ至り、ブラケット２５の長辺部２５ｂがストッパ２６に当たると回転を止める。これによりブラケット２５はその一部が水平面上で緩衝器頂部１５ａと重なる位置にくる。
【００２１】
そして更に締結具２４を時計方向に回すと、図３（Ｂ），（Ｃ）に示すように、ブラケット２５は上昇して緩衝器頂部１５ａの下面に接し、嵩上げパイプ２２の下面とブラケット２５とで緩衝器頂部１５ａを上下から挟む。これによって下降阻止装置２０は緩衝器１５に固定される。    
【００２２】
逆に、下降阻止装置２０を緩衝器１５から外す場合は、前記とは逆に、図３の（Ｃ）⇒（Ｄ）⇒（Ａ）の順になる。図３（Ｃ）の状態（図１（ａ）（ｂ）も同じ）から、締結具２４を反時計方向に回すと、ブラケット２５も一緒に反時計方向に回る。これを下方から見ると図２（ｂ）に矢印で示すように、ブラケット２５は締結具２４を中心に時計方向に９０度回転し、図２（ａ）の位置から図２（ｂ）の位置へ至り、ブラケット２５の短辺部２５ｃがストッパ２６に当たると回転を止める。これによりブラケット２５は水平面上で緩衝器頂部１５ａと重ならない位置にくる。
【００２３】
そして更に締結具２４を反時計方向に回すと、図３（Ｄ）に示すように、ブラケット２５は下降して緩衝器頂部１５ａの下面から離れ、図３（Ａ）の状態に戻る。これにより、下降阻止装置２０を緩衝器１５から取り外すことができる。
【００２４】
このように、本実施の形態によれば、アイボルトからなる締結具２４を回すだけで、緩衝器１５への下降阻止装置２０の着脱が容易に行える。しかも嵩上げパイプ２２とブラケット２５とで緩衝器１５の頂部１５ａを挟み付けているため強固に取り付けられる。
【００２５】
前記の実施の形態では、ブラケット２５にタップ穴を設けているが、タップ穴の代わりにナット溶接にすることもできる。また、締結具２４，ブラケット２５は４箇所に設けているが、３箇所以上に設ければ安定した取り付けが行える。更に締結具２４を時計方向に回転することによって緩衝器１５に下降阻止装置２０を取り付け、締結具２４を反時計方向に回転することによって緩衝器１５から下降阻止装置２０を外しているが、この回転方向は逆にしてもよい。
【００２６】
また、ブラケット２５は９０度回転する構成となっているが、９０度回転に限ることはなく、水平面上で緩衝器頂部１５ａに重なる位置と重ならない位置のいずれかを選ぶことができる構成であればよい。
更に締結具２４としてアイボルトを使用しているが、蝶ボルトなど他のボルトを使用することもできる。
【００２７】
更に本下降阻止装置はかご及びカウンターウェイトの両方の緩衝器に設置できるが、必要に応じてかご又はカウンターウェイトのいずれか一方にのみ設置することもできる。また、カウンターウェイトを有しない巻動式や間接式油圧エレベータなどのエレベータにも適用することができる。
更にまた本下降阻止装置は、保守時のみならず、修理や据付時の調整など色々な場面で使用することができる。
【符号の説明】
【００２８】
２  かご
３  カウンターウェイト
１５  緩衝器
１５ａ  緩衝器頂部
２０  下降阻止装置
２１  下面当たり板
２２  嵩上げパイプ
２３  取付板
２４  締結具
２５  ブラケット
２６  ストッパ
【図１】
0005899811.tif 000002
【図２】
0005899811.tif 000003
【図３】
0005899811.tif 000004
【図４】
0005899811.tif 000005
【図５】
0005899811.tif 000006
【図６】
0005899811.tif 000007